(57)【要約】【課題】  カバーの浮き状態の判別が一定にできて、良否の選別が均一な無線ＬＡＮカードを提供する。【解決手段】  本発明の無線ＬＡＮカードは、回路基板１に取り付けられたカバー６の上面板６ａに設けられた貫通孔６ｃと、この貫通孔６ｃと対向する箇所のカバー６内に位置する回路基板１の上面に設けられた識別部５とを有し、回路基板１の上面とカバー６の側面板６ｂの下端部との間の隙間が所定寸法以上の時、識別部５がカバー６の外部から隙間を通して判別出来るようにしたため、識別部５が判定基準となって、検査者による目視のカバーの浮き状態の判別が一定にできて、良否の選別の均一なものが得られると共に、貫通孔６ｃが明かり採りとなって、識別部５の見易いものが得られる。【選択図】        図３
2006303285.tif 000002
【特許請求の範囲】
【請求項１】
コネクタ用の複数の端子、及びこの端子に接続される配線パターンを有し、電子部品が搭載された回路基板と、前記電子部品を覆った状態で、前記回路基板に取り付けられた金属板からなる箱形のカバーとを備え、前記カバーは、上面板と、この上面板から折り曲げられた４つの側面板と、前記側面板の近傍に位置する前記上面板に設けられた貫通孔を有すると共に、前記回路基板の上面には、前記貫通孔と対向する箇所の前記カバー内に位置した識別部が設けられ、前記回路基板の上面と前記側面板の下端部との間の隙間が所定寸法以上の時、前記識別部が前記カバーの外部から前記隙間を通して判別出来るようにしたことを特徴とする無線ＬＡＮカード。
【請求項２】
前記貫通孔は、４つの前記側面板のそれぞれの近傍に位置する前記上面板に設けられると共に、前記識別部が４つの前記貫通孔のそれぞれに対向して設けられたことを特徴とする請求項１記載の無線ＬＡＮカード。
【請求項３】
前記回路基板の上面にはレジスト膜が設けられ、前記識別部が前記レジスト膜の削除部によって形成されたことを特徴とする請求項１、又は２記載の無線ＬＡＮカード。
【請求項４】
前記削除部が前記配線パターン上に設けられ、前記削除部によって露出した前記配線パターンの表面が前記隙間を通して判別出来るようにしたことを特徴とする請求項３記載の無線ＬＡＮカード。
【発明の詳細な説明】
【技術分野】
【０００１】
本発明はパソコン等の電子機器間で、無線でデータを送受する際に使用される無線ＬＡＮカードに関する。
【背景技術】
【０００２】
図４は従来の無線ＬＡＮカードの斜視図であり、次に、従来の無線ＬＡＮカードの構成を図４に基づいて説明すると、回路基板５１には、配線パターン５２が設けられ、この配線パターン５２は、電子機器側のコネクタに接続されるコネクタ用の複数の端子５２ａを有すると共に、配線パターン５２には、種々の電子部品５４が接続されて、送受信回路が形成されている。
【０００３】
金属板からなる箱形のカバー５３は、上面板５３ａと、この上面板５３ａから下方に折り曲げられた複数の側面板５３ｂを有し、このカバー５３は、端子５２ａを露出させ、電子部品５４を覆った状態で回路基板５１に取り付けられて、従来の無線ＬＡＮカードが形成されている。（例えば、特許文献１参照）
【０００４】
このような構成を有する無線ＬＡＮカードは、電子機器の凹部からなる収納部内に装着されるが、この時、カバー５３が回路基板５１から所定寸法を超えた浮き状態になると、無線ＬＡＮカードの準拠すべき規格寸法を逸脱することから、回路基板５１からのカバー５３の浮き状態を目視で判別して、良否を選別するようになっている。
【０００５】
【特許文献１】特開２００３−２４３８５２号公報
【発明の開示】
【発明が解決しようとする課題】
【０００６】
無線ＬＡＮカードにおいて、回路基板５１からのカバー５３の浮き状態の判別は、回路基板５１とカバー５３の側面板５３ａの下端部間の隙間の大きさを目視によって見分けるようにしたため、検査者によって判別基準が異なり、良否の選別にバラツキが生じるという問題がある。
【０００７】
そこで、本発明はカバーの浮き状態の判別が一定にできて、良否の選別が均一な無線ＬＡＮカードを提供することを目的とする。
【課題を解決するための手段】
【０００８】
上記課題を解決するための第１の解決手段として、コネクタ用の複数の端子、及びこの端子に接続される配線パターンを有し、電子部品が搭載された回路基板と、前記電子部品を覆った状態で、前記回路基板に取り付けられた金属板からなる箱形のカバーとを備え、前記カバーは、上面板と、この上面板から折り曲げられた４つの側面板と、前記側面板の近傍に位置する前記上面板に設けられた貫通孔を有すると共に、前記回路基板の上面には、前記貫通孔と対向する箇所の前記カバー内に位置した識別部が設けられ、前記回路基板の上面と前記側面板の下端部との間の隙間が所定寸法以上の時、前記識別部が前記カバーの外部から前記隙間を通して判別出来るようにした構成とした。
【０００９】
また、第２の解決手段として、前記貫通孔は、４つの前記側面板のそれぞれの近傍に位置する前記上面板に設けられると共に、前記識別部が４つの前記貫通孔のそれぞれに対向して設けられた構成とした。
また、第３の解決手段として、前記回路基板の上面にはレジスト膜が設けられ、前記識別部が前記レジスト膜の削除部によって形成された構成とした。
また、第４の解決手段として、前記削除部が前記配線パターン上に設けられ、前記削除部によって露出した前記配線パターンの表面が前記隙間を通して判別出来るようにした構成とした。
【発明の効果】
【００１０】
本発明の無線ＬＡＮカードは、回路基板に取り付けられたカバーの上面板に設けられた貫通孔と、この貫通孔と対向する箇所のカバー内に位置する回路基板の上面に設けられた識別部とを有し、回路基板の上面とカバーの側面板の下端部との間の隙間が所定寸法以上の時、識別部がカバーの外部から隙間を通して判別出来るようにしたため、識別部が判定基準となって、検査者による目視のカバーの浮き状態の判別が一定にできて、良否の選別の均一なものが得られると共に、貫通孔が明かり採りとなって、識別部の見易いものが得られる。
【００１１】
また、貫通孔は、４つの側面板のそれぞれの近傍に位置する上面板に設けられると共に、識別部が４つの貫通孔のそれぞれに対向して設けられたため、４つの側面板の浮き状態の判別が一定にできて、良否の選別の均一なものが得られる。
【００１２】
また、回路基板の上面にはレジスト膜が設けられ、識別部がレジスト膜の削除部によって形成されたため、識別部の形成が簡単となって、生産性の良好なものが得られる。
【００１３】
また、削除部が配線パターン上に設けられ、削除部によって露出した配線パターンの表面が隙間を通して判別出来るようにしたため、削除部によって露出した配線パターンの箇所が光り、判別の容易なものが得られる。
【発明を実施するための最良の形態】
【００１４】
本発明の無線ＬＡＮカードの図面を説明すると、図１は本発明の無線ＬＡＮカードの斜視図、図２は本発明の無線ＬＡＮカードの要部断面図、図３は本発明の無線ＬＡＮカードに係り、要部の拡大断面図であり、次に、本発明の無線ＬＡＮカードの構成を図１〜図３に基づいて説明すると、回路基板１には、銅箔等からなる配線パターン２が設けられ、この配線パターン２には、電子機器側のコネクタに接続されるコネクタ用の複数の端子２ａを有すると共に、配線パターン２には、種々の電子部品３が接続されて、送受信回路が形成されている。
【００１５】
また、回路基板１の上面と配線パターン２の上面には、半田用のレジスト膜４が設けられて、このレジスト膜４によって、電子部品３の半田付領域が設けられると共に、配線パターン２上に位置するレジスト膜３には、配線パターン２を露出する削除部からなる識別部５が形成されている。
なお、この識別部５は、シルク印刷等からなる目印等によって形成しても良い。
【００１６】
金属板からなる箱形のカバー６は、上面板６ａと、この上面板６ａから下方に折り曲げられた４つの側面板６ｂと、４つの側面板６ｂのそれぞれの近傍に位置する上面板６ａに設けられた４つの貫通孔６ｃを有し、このカバー６は、端子２ａを露出させ、電子部品３を覆った状態で回路基板１に取り付けられている。
【００１７】
そして、カバー６が取り付けられた際、識別部５は、カバー６内で、側面板６ｂの近傍に位置すると共に、識別部５と貫通孔６ｃは、互いに対向する状態となって、識別部５は、明かり採りである貫通孔６ｃを通して見易くなって、本発明の無線ＬＡＮカードが形成されている。
【００１８】
このような構成を有する無線ＬＡＮカードは、電子機器の凹部からなる収納部内に装着されるが、この時、カバー６が回路基板１から所定寸法を超えた浮き状態になると、無線ＬＡＮカードの準拠すべき規格寸法を逸脱することから、回路基板１からのカバー６の浮き状態を目視で判別して、良否を選別するようになっている。
【００１９】
そして、本発明の無線ＬＡＮカードの良否の選別は、図３に示すように、カバー６の側面板６ｂの下端部が回路基板１から所定寸法Ｓ以上に浮き上がると、回路基板１からの所定角度Ｋの位置に目線を置いた状態で、側面板６ｂの下端部と回路基板１との間の隙間を通して識別部５が判別でき、不良品であることが判定できると共に、所定寸法Ｓ未満である場合、識別部５が判別できず、良品であることが判定できるようになっている。
即ち、識別部５が検査者の判定基準となって、均一な判定が出来るようになる。
【図面の簡単な説明】
【００２０】
【図１】本発明の無線ＬＡＮカードの斜視図。
【図２】本発明の無線ＬＡＮカードの要部断面図。
【図３】本発明の無線ＬＡＮカードに係り、要部の拡大断面図。
【図４】従来の無線ＬＡＮカードの斜視図。
【符号の説明】
【００２１】
１：回路基板
２：配線パターン
２ａ：端子
３：電子部品
４：レジスト膜
５：識別部（削除部）
６：カバー
６ａ：上面板
６ｂ：側面板
６ｃ：貫通孔
Ｓ：所定寸法
Ｋ：所定角度
【図１】
2006303285.tif 000003
【図２】
2006303285.tif 000004
【図３】
2006303285.tif 000005
【図４】
2006303285.tif 000006